【手続補正書】
【提出日】平成22年4月30日(2010.4.30)
【手続補正１】
【補正対象書類名】特許請求の範囲
【補正対象項目名】全文
【補正方法】変更
【補正の内容】
【特許請求の範囲】
【請求項１】
貯蔵タンクの内部を照明するための採光装置であって、
太陽からの光を導入する採光手段と、前記採光手段からの光をその内面で反射させながら所定方向へ導くための筒状の導光手段と、前記導光手段からの光を前記貯蔵タンクの内部に照射するための照射手段と、を備え、また前記貯蔵タンクは、収容空間を規定する側壁部と、前記収容空間の上面を塞ぐ天壁部と、を有し、前記側壁部にはマンホール部が設けられており、
前記採光手段は前記貯蔵タンクの前記側壁部に取り付けられ、前記導光手段の一端部は、前記側壁部の前記マンホール部を通して前記採光手段に連結され、その他端部は、前記側壁部の前記マンホール部を通して前記貯蔵タンクの内部に延びて前記照射手段に連結されることを特徴とする採光装置。
【請求項２】
貯蔵タンクの内部を照明するための採光装置であって、
太陽からの光を導入する採光手段と、前記採光手段からの光をその内面で反射させながら所定方向へ導くための筒状の導光手段と、前記導光手段からの光を前記貯蔵タンクの内部に照射するための照射手段と、を備え、また前記貯蔵タンクは、収容空間を規定する側壁部と、前記収容空間の上面を塞ぐ天壁部と、を有し、前記天壁部にはマンホール部が設けられており、
前記採光手段は、取付部材と、前記取付部材に装着されるドーム部材と、を備え、前記取付部材は、基台部と、前記基台部から上方に延びる筒状の支持部と、を有し、前記ドーム部材は前記支持部に装着され、
前記採光手段の前記取付部材は、前記貯蔵タンクの前記天壁部に設けられた前記マンホール部に取り付けられ、前記導光手段の一端部は、前記天壁部の前記マンホール部を通して前記採光手段の前記支持部に連結され、その他端部は、前記天壁部の前記マンホール部を通して前記貯蔵タンクの内部に延びて前記照射手段に連結されることを特徴とする採光装置。
【請求項３】
前記導光手段は所定の角度で屈曲され、前記導光手段の一端部は、前記天壁部の前記マンホール部を通して前記支持部に回転自在に装着されることを特徴とする請求項２に記載の採光装置。
【請求項４】
前記導光手段は、所定の角度に屈曲された複数の導光ユニットを有し、また前記照射手段は複数の照射部を有しており、前記複数の導光ユニットの各々の一端部は前記採光手段の前記支持部に取り付けられ、またそれらの他端部にはそれぞれ前記複数の照射部が取り付けられることを特徴とする請求項２に記載の採光装置。
【請求項５】
前記導光手段は、相互に移動自在に接続された複数の筒状部材を有し、前記複数の筒状部材が相互に移動されることにより前記導光手段が伸縮されることを特徴とする請求項２に記載の採光装置。
【請求項６】
前記採光手段に関連して照明手段が設けられており、前記照明手段からの光は前記採光手段に導入されることを特徴とする請求項１〜５のいずれかに記載の採光装置。
【請求項７】
前記照明手段と前記採光手段との間には導光部材が設けられ、前記照明手段からの光は、前記導光部材の内面を反射しながら前記採光手段に導かれることを特徴とする請求項６に記載の採光装置。
【請求項８】
前記採光手段、前記導光手段及び前記照射手段を一体に固定するための固定手段が設けられていることを特徴とする請求項１〜７のいずれかに記載の採光装置。
【請求項９】
収容空間を有する貯蔵タンクの内部を照明するための採光装置であって、
光を照射するための照明手段と、前記照明手段からの光をその内面で反射させながら所定方向へ導くための筒状の導光手段と、前記導光手段からの光を前記貯蔵タンクの内部に照射するための照射手段と、を備え、
前記照明手段は前記貯蔵タンクの外部に設けられ、前記導光手段の一端部は、前記貯蔵タンクに設けられたマンホール部を通して前記貯蔵タンクの外部に延び、その他端部は、前記マンホール部を通して前記貯蔵タンクの内部に延びて前記照射手段に連結され、前記照明手段からの光は、前記導光手段の一端部よりその内部に導入されることを特徴とする採光装置。
【請求項１０】
前記照明手段と前記導光手段の一端部との間には間隙が設けられていることを特徴とする請求項９に記載の採光装置。
【請求項１１】
前記導光手段を前記マンホール部において移動自在に支持するための支持手段が設けられていることを特徴とする請求項９又は１０に記載の採光装置。
【請求項１２】
船舶の内部に形成された船内空間を照明するための採光装置であって、
太陽からの光を導入する採光手段と、前記採光手段からの光をその内面で反射させながら所定方向へ導くための筒状の導光手段と、前記導光手段からの光を前記船内空間の内部に照射するための照射手段と、を備え、
前記採光手段は前記船内空間の外部に取り付けられ、前記導光手段の一端部は、前記船内空間に設けられた開口部を通して前記採光手段に連結され、その他端部は、前記開口部を通して前記船内空間の内部に延びて前記照射手段に連結されることを特徴とする採光装置。
【請求項１３】
トンネル空間を照明するための採光装置であって、
太陽からの光を導入する採光手段と、前記採光手段からの光をその内面で反射させながら所定方向へ導くための筒状の導光手段と、前記導光手段からの光を前記トンネル空間の内部に照射するための照射手段と、を備え、
前記採光手段は前記トンネル空間の外部に取り付けられ、前記導光手段の一端部は、前記トンネル空間に設けられた開口部を通して前記採光手段に連結され、その他端部は、前記開口部を通して前記トンネル空間の内部に延びて前記照射手段に連結されることを特徴とする採光装置。
【手続補正２】
【補正対象書類名】明細書
【補正対象項目名】０００８
【補正方法】変更
【補正の内容】
【０００８】
本発明の請求項１に記載の採光装置では、貯蔵タンクの内部を照明するための採光装置であって、
太陽からの光を導入する採光手段と、前記採光手段からの光をその内面で反射させながら所定方向へ導くための筒状の導光手段と、前記導光手段からの光を前記貯蔵タンクの内部に照射するための照射手段と、を備え、また前記貯蔵タンクは、収容空間を規定する側壁部と、前記収容空間の上面を塞ぐ天壁部と、を有し、前記側壁部にはマンホール部が設けられており、
前記採光手段は前記貯蔵タンクの前記側壁部に取り付けられ、前記導光手段の一端部は、前記側壁部の前記マンホール部を通して前記採光手段に連結され、その他端部は、前記側壁部の前記マンホール部を通して前記貯蔵タンクの内部に延びて前記照射手段に連結されることを特徴とする。
【手続補正３】
【補正対象書類名】明細書
【補正対象項目名】０００９
【補正方法】変更
【補正の内容】
【０００９】
また、本発明の請求項２に記載の採光装置では、貯蔵タンクの内部を照明するための採光装置であって、
太陽からの光を導入する採光手段と、前記採光手段からの光をその内面で反射させながら所定方向へ導くための筒状の導光手段と、前記導光手段からの光を前記貯蔵タンクの内部に照射するための照射手段と、を備え、また前記貯蔵タンクは、収容空間を規定する側壁部と、前記収容空間の上面を塞ぐ天壁部と、を有し、前記天壁部にはマンホール部が設けられており、
前記採光手段は、取付部材と、前記取付部材に装着されるドーム部材と、を備え、前記取付部材は、基台部と、前記基台部から上方に延びる筒状の支持部と、を有し、前記ドーム部材は前記支持部に装着され、
前記採光手段の前記取付部材は、前記貯蔵タンクの前記天壁部に設けられた前記マンホール部に取り付けられ、前記導光手段の一端部は、前記天壁部の前記マンホール部を通して前記採光手段の前記支持部に連結され、その他端部は、前記天壁部の前記マンホール部を通して前記貯蔵タンクの内部に延びて前記照射手段に連結されることを特徴とする。
【手続補正４】
【補正対象書類名】明細書
【補正対象項目名】００１０
【補正方法】変更
【補正の内容】
【００１０】
さらに、本発明の請求項３に記載の採光装置では、前記導光手段は所定の角度で屈曲され、前記導光手段の一端部は、前記天壁部の前記マンホール部を通して前記支持部に回転自在に装着されることを特徴とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
さらに、本発明の請求項４に記載の採光装置では、前記導光手段は、所定の角度に屈曲された複数の導光ユニットを有し、また前記照射手段は複数の照射部を有しており、前記複数の導光ユニットの各々の一端部は前記採光手段の前記支持部に取り付けられ、またそれらの他端部にはそれぞれ前記複数の照射部が取り付けられることを特徴とする。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
さらに、本発明の請求項５に記載の採光装置では、前記導光手段は、相互に移動自在に接続された複数の筒状部材を有し、前記複数の筒状部材が相互に移動されることにより前記導光手段が伸縮されることを特徴とする。
【手続補正１１】
【補正対象書類名】明細書
【補正対象項目名】００１７
【補正方法】変更
【補正の内容】
【００１７】
また、本発明の請求項６に記載の採光装置では、前記採光手段に関連して照明手段が設けられており、前記照明手段からの光は前記採光手段に導入されることを特徴とする。
【手続補正１２】
【補正対象書類名】明細書
【補正対象項目名】００１８
【補正方法】変更
【補正の内容】
【００１８】
さらに、本発明の請求項７に記載の採光装置では、前記照明手段と前記採光手段との間には導光部材が設けられ、前記照明手段からの光は、前記導光部材の内面を反射しながら前記採光手段に導かれることを特徴とする。
【手続補正１３】
【補正対象書類名】明細書
【補正対象項目名】００１９
【補正方法】変更
【補正の内容】
【００１９】
また、本発明の請求項８に記載の採光装置では、前記採光手段、前記導光手段及び前記照射手段を一体に固定するための固定手段が設けられていることを特徴とする。
さらに、本発明の請求項９に記載の採光装置では、収容空間を有する貯蔵タンクの内部を照明するための採光装置であって、
光を照射するための照明手段と、前記照明手段からの光をその内面で反射させながら所定方向へ導くための筒状の導光手段と、前記導光手段からの光を前記貯蔵タンクの内部に照射するための照射手段と、を備え、
前記照明手段は前記貯蔵タンクの外部に設けられ、前記導光手段の一端部は、前記貯蔵タンクに設けられたマンホール部を通して前記貯蔵タンクの外部に延び、その他端部は、前記マンホール部を通して前記貯蔵タンクの内部に延びて前記照射手段に連結され、前記照明手段からの光は、前記導光手段の一端部よりその内部に導入されることを特徴とする。
【手続補正１４】
【補正対象書類名】明細書
【補正対象項目名】００２０
【補正方法】変更
【補正の内容】
【００２０】
また、本発明の請求項１０に記載の採光装置では、前記照明手段と前記導光手段の一端部との間には間隙が設けられていることを特徴とする。
さらに、本発明の請求項１１に記載の採光装置では、前記導光手段を前記マンホール部において移動自在に支持するための支持手段が設けられていることを特徴とする。
【手続補正１５】
【補正対象書類名】明細書
【補正対象項目名】００２１
【補正方法】変更
【補正の内容】
【００２１】
また、本発明の請求項１２に記載の採光装置では、船舶の内部に形成された船内空間を照明するための採光装置であって、
太陽からの光を導入する採光手段と、前記採光手段からの光をその内面で反射させながら所定方向へ導くための筒状の導光手段と、前記導光手段からの光を前記船内空間の内部に照射するための照射手段と、を備え、
前記採光手段は前記船内空間の外部に取り付けられ、前記導光手段の一端部は、前記船内空間に設けられた開口部を通して前記採光手段に連結され、その他端部は、前記開口部を通して前記船内空間の内部に延びて前記照射手段に連結されることを特徴とする。
また、本発明の請求項１３に記載の採光装置では、トンネル空間を照明するための採光装置であって、
太陽からの光を導入する採光手段と、前記採光手段からの光をその内面で反射させながら所定方向へ導くための筒状の導光手段と、前記導光手段からの光を前記トンネル空間の内部に照射するための照射手段と、を備え、
前記採光手段は前記トンネル空間の外部に取り付けられ、前記導光手段の一端部は、前記トンネル空間に設けられた開口部を通して前記採光手段に連結され、その他端部は、前記開口部を通して前記トンネル空間の内部に延びて前記照射手段に連結されることを特徴とする。
【手続補正１６】
【補正対象書類名】明細書
【補正対象項目名】００２２
【補正方法】変更
【補正の内容】
【００２２】
本発明の請求項１に記載の採光装置によれば、太陽からの光が採光手段に導入されると、採光手段からの光が導光手段の内面で反射されながら所定方向へ導かれ、導光手段からの光が照射手段により貯蔵タンクの内部に照射されるので、太陽からの光を貯蔵タンクの内部に導入して、この光により貯蔵タンクの内部の収容空間を照明することができる。従って、貯蔵タンクの内部の収容空間を照明する際に火花や静電気等が発生するおそれがなく、貯蔵タンクの内部の収容空間に残留する可燃性のガスに引火して爆発するのを確実に防止することができ、高い安全性でもって貯蔵タンクの内部の収容空間を照明することが可能となる。なお、貯蔵タンクは、例えばフローティングルーフタンク、ドームルーフタンク、コーンルーフタンク、地下タンク及び球形タンク等の種々の貯蔵タンクから構成することができる。また、採光手段は貯蔵タンクの側壁部に取り付けられ、導光手段の一端部は、側壁部に設けられたマンホール部を通して採光手段に連結され、その他端部は、側壁部のマンホール部を通して貯蔵タンクの内部に延びて照射手段に連結されるので、既存の貯蔵タンクに対して容易に採光装置を設置することが可能となる。
【手続補正１７】
【補正対象書類名】明細書
【補正対象項目名】００２３
【補正方法】変更
【補正の内容】
【００２３】
また、本発明の請求項２に記載の採光装置によれば、太陽からの光が採光手段に導入されると、採光手段からの光が導光手段の内面で反射されながら所定方向へ導かれ、導光手段からの光が照射手段により貯蔵タンクの内部に照射されるので、太陽からの光を貯蔵タンクの内部に導入して、この光により貯蔵タンクの内部の収容空間を照明することができる。従って、貯蔵タンクの内部の収容空間を照明する際に火花や静電気等が発生するおそれがなく、貯蔵タンクの内部の収容空間に残留する可燃性のガスに引火して爆発するのを確実に防止することができ、高い安全性でもって貯蔵タンクの内部の収容空間を照明することが可能となる。なお、貯蔵タンクは、例えばフローティングルーフタンク、ドームルーフタンク、コーンルーフタンク、地下タンク及び球形タンク等の種々の貯蔵タンクから構成することができる。また、採光手段は貯蔵タンクの天壁部に設けられたマンホール部取り付けられ、導光手段の一端部は、天壁部に設けられたマンホール部を通して採光手段の支持部に連結され、その他端部は、天壁部のマンホール部を通して貯蔵タンクの内部に延びて照射手段に連結されるので、既存の貯蔵タンクに対して容易に採光装置を設置することが可能となる。
【手続補正１８】
【補正対象書類名】明細書
【補正対象項目名】００２４
【補正方法】変更
【補正の内容】
【００２４】
さらに、本発明の請求項３に記載の採光装置によれば、導光手段は所定の角度で屈曲され、導光手段の一端部は、天壁部のマンホール部を通して採光手段の支持部に回転自在に装着されるので、導光手段を支持部に対して回転させることにより、照射手段からの光の照射方向を調節することができる。従って、貯蔵タンク内の収容空間の所望の領域を照明することができ、貯蔵タンク内における作業性を高めることが可能となる。
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】変更
【補正の内容】
【００２８】
さらに、本発明の請求項４に記載の採光装置によれば、所定の角度に屈曲された複数の導光ユニットの各々の一端部は採光手段に取り付けられ、それらの他端部にはそれぞれ複数の照射部が取り付けられるので、複数の導光ユニットの各他端部を種々の方向に配設することにより、貯蔵タンクの内部の収容空間をより広範囲に照明することができ、貯蔵タンク内における作業性をより高めることが可能となる。
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】変更
【補正の内容】
【００３０】
さらに、本発明の請求項５に記載の採光装置によれば、複数の筒状部材が相互に移動されることにより導光手段が伸縮されるので、例えば側壁部と天壁部とが一体に構成された、天壁部が上下に移動されないタイプの貯蔵タンクに対して採光装置を適用した場合において、導光手段を伸長させてその長さを長く設定することにより、照射手段を側壁部の収容空間の下側領域まで下降させることができる。従って、収容空間の下側領域を照明することができ、この収容空間の下側領域において作業を行うことが可能となる。
【手続補正２５】
【補正対象書類名】明細書
【補正対象項目名】００３１
【補正方法】変更
【補正の内容】
【００３１】
また、本発明の請求項６に記載の採光装置によれば、採光手段に関連して照明手段が設けられているので、例えば太陽からの光を充分に得ることのできない雨天時や夜間等においても、照明手段からの光を採光手段に導入することにより、貯蔵タンクの内部の収容空間を照明することが可能となる。
【手続補正２６】
【補正対象書類名】明細書
【補正対象項目名】００３２
【補正方法】変更
【補正の内容】
【００３２】
さらに、本発明の請求項７に記載の採光装置によれば、照明手段と採光手段との間には導光部材が設けられているので、照明手段からの光は導光部材の内面を反射しながら採光手段に導かれ、照明手段からの光を効率良く採光手段に導くことができる。
【手続補正２７】
【補正対象書類名】明細書
【補正対象項目名】００３３
【補正方法】変更
【補正の内容】
【００３３】
また、本発明の請求項８に記載の採光装置によれば、採光手段、導光手段及び照射手段を一体に固定するための固定手段が設けられているので、採光装置を空間に対して設置する際の採光装置の取り扱いを容易に行うことができる。
【手続補正２８】
【補正対象書類名】明細書
【補正対象項目名】００３４
【補正方法】変更
【補正の内容】
【００３４】
さらに、本発明の請求項９に記載の採光装置によれば、照明手段からの光が導光手段の一端部よりその内部に導入されると、この光が導光手段の内面で反射されながら所定方向へ導かれ、導光手段からの光が照射手段により貯蔵タンクの内部に照射されるので、貯蔵タンクの外部に設けられた照明手段からの光を貯蔵タンクの内部に導入して、この光により貯蔵タンクの内部を照明することができる。従って、貯蔵タンクの内部を照明する際に貯蔵タンクの内部において火花や静電気等が発生するおそれがなく、貯蔵タンクの内部に残留する可燃性のガスに引火して爆発するのを確実に防止することができ、高い安全性でもって貯蔵タンクの内部を照明することが可能となる。なお、貯蔵タンクは、例えばフローティングルーフタンク、ドームルーフタンク、コーンルーフタンク、地下タンク及び球形タンク等の種々の貯蔵タンクから構成することができる。
【手続補正２９】
【補正対象書類名】明細書
【補正対象項目名】００３５
【補正方法】変更
【補正の内容】
【００３５】
また、本発明の請求項１０に記載の採光装置によれば、照明手段と導光手段の一端部との間には間隙が設けられているので、外気がこの間隙を通して導光手段の内部に流入され、この流入された外気により導光手段や照射手段等が冷やされる。従って、照明手段からの熱により導光手段や照射手段等の温度が上昇するのを抑制することができる。
【手続補正３０】
【補正対象書類名】明細書
【補正対象項目名】００３６
【補正方法】変更
【補正の内容】
【００３６】
さらに、本発明の請求項１１に記載の採光装置によれば、導光手段をマンホール部において移動自在に支持するための支持手段が設けられているので、導光手段を支持手段に対して相対的に移動させることにより、照射手段からの光の照射方向を調節することができる。従って、貯蔵タンク内の所望の領域を照明することができ、貯蔵タンク内における作業性を高めることが可能となる。
【手続補正３１】
【補正対象書類名】明細書
【補正対象項目名】００３７
【補正方法】変更
【補正の内容】
【００３７】
また、本発明の請求項１２に記載の採光装置によれば、太陽からの光が採光手段に導入されると、採光手段からの光が導光手段の内面で反射されながら所定方向へ導かれ、導光手段からの光が照射手段により船内空間の内部に照射されるので、太陽からの光を船内空間の内部に導入して、この光により船内空間の内部を照明することができる。従って、太陽からの光が届き難い船内空間を太陽からの光により照明することができ、省エネルギー化を図ることができる。
また、本発明の請求項１３に記載の採光装置によれば、太陽からの光が採光手段に導入されると、採光手段からの光が導光手段の内面で反射されながら所定方向へ導かれ、導光手段からの光が照射手段によりトンネル空間の内部に照射されるので、太陽からの光を船内空間の内部に導入して、この光によりトンネル空間の内部を照明することができる。従って、太陽からの光が届き難いトンネル空間を太陽からの光により照明することができ、省エネルギー化を図ることができる。